(57)【要約】【課題】本体に装着される場合にワンドの安定性を向上させること。【解決手段】キャニスタ型真空掃除機は、本体と、収縮位置と伸長位置との間で伸縮自在なワンドとを備える。ワンド及び本体は装着特徴部を備え、装着特徴部は、ワンドが収縮した場合にワンドを本体へ装着するが、ワンドが伸長した場合にはワンドの本体への装着を阻止するように係合する。【選択図】図１０
2014091050.tif 000002
【特許請求の範囲】
【請求項１】
本体と、収縮位置と伸長位置との間で伸縮自在なワンドとを備えるキャニスタ型真空掃除機であって、
前記ワンドは、外側管に対して移動可能な内側管と、前記内側管に設けられた第１の装着特徴部と、前記外側管に設けられた第２の装着特徴部とを備え、
前記本体は、第３の装着特徴部を備え、
前記ワンドは、前記第１の装着特徴部及び前記第２の装着特徴部の両方が前記第３の特徴部に係合することにより前記本体へ装着可能であり、
前記ワンドが収縮した場合、前記第１の装着特徴部及び前記第２の装着特徴部は、前記第３の特徴部に係合し、
前記ワンドが伸長した場合、前記第１の装着特徴部及び前記第２の装着特徴部の一方だけが前記第３の特徴部に係合して、前記ワンドが伸長した場合には前記ワンドの前記本体への装着が阻止される、キャニスタ型真空掃除機。
【請求項２】
前記第１の装着特徴部と前記第３の装着特徴部とは、前記本体に対して前記ワンドが第１の方向に移動することを許容し、第２の方向に移動することを阻止するように係合し、前記第２の装着特徴部と前記第３の装着特徴部とは、前記第１の方向に移動することを阻止し、前記第２の方向に移動することを許容するように係合する、請求項１に記載の真空掃除機。
【請求項３】
前記第１の装着特徴部と前記第３の装着特徴部とは、前記本体に対して前記ワンドが軸線に沿って摺動によって移動することを許容し、前記軸線と直交する方向に移動することを阻止するように係合し、前記第２の装着特徴部と前記第３の装着特徴部とは、前記軸線に沿って摺動によって移動することを阻止し、該軸線と直交する方向に移動することを許容するように係合する、請求項２に記載の真空掃除機。
【請求項４】
前記第１の装着特徴部及び前記第３の装着特徴部の一方はランナを備え、前記第１の装着特徴部及び前記第３の装着特徴部の他方は案内溝を備え、前記第１の装着特徴部と前記第３の装着特徴部とは、前記ランナを前記案内溝内に摺動可能に受け入れるように係合し、前記第２の装着特徴部と前記第３の装着特徴部とは、前記ワンドが収縮する場合に前記ランナが前記案内溝を越えて摺動することを阻止し、前記ワンドが伸長する場合に前記ランナが前記案内溝を越えて摺動することを許容するように係合する、請求項１から３のいずれかに記載の真空掃除機。
【発明の詳細な説明】
【技術分野】
【０００１】
本発明は、キャニスタ型真空掃除機に関する。
【背景技術】
【０００２】
図１には、本体２を有するキャニスタ型真空掃除機１が示されており、掃除機ヘッド３が、本体２へホース及びワンド組立体４を用いて結合されている。本体２及び掃除機ヘッド３の各々は、真空掃除機１を使用しないときに掃除機ヘッド３を本体２へ装着するための特徴部を備える。掃除機ヘッド３が本体２へ装着される場合、ホース及びワンド組立体４は、本体２から上方へ延びる。その結果、組立体４の質量中心が、本体２の質量中心よりも高くなる。結果的に、ユーザが不注意で組立体４にぶつかると、本体２にトルクが作用する。組立体４のワンドが収縮される場合、組立体４の質量中心は十分に低くなり、組立体４にぶつかっても、真空掃除機１は、直立したままである。しかしながら、ワンドが伸ばされる場合、組立体４の質量中心は高くなる。結果的に、組立体４にぶつかると、真空掃除機１は、結果として生ずるトルクにより転倒する場合がある。
【発明の概要】
【課題を解決するための手段】
【０００３】
本発明は、本体と、収縮位置と伸長位置との間で伸縮自在なワンドとを備えるキャニスタ型真空掃除機を提供し、ワンドは、外側管に対して移動可能な内側管と、内側管に設けられた第１の装着特徴部と、外側管に設けられた第２の装着特徴部とを備え、本体は、第３の装着特徴部を備え、ワンドは、第１の装着特徴部及び第２の装着特徴部の両方が第３の装着特徴部に係合することにより本体へ装着可能であり、第１の装着特徴部及び第２の装着特徴部はワンドが収縮した場合に第３の特徴部に係合し、ワンドが伸長した場合に第１の装着特徴部及び第２の装着特徴部の一方だけが第３の特徴部に係合して、ワンドが伸長した場合にはワンドの本体への装着が阻止される。
【０００４】
従って、ワンドが伸長する場合、ワンドを本体に装着することはできない。その結果、より安定した真空掃除機が実現できる。
【０００５】
ワンドは、別個の管上に位置する別個の装着特徴部を有する。管上の装着特徴部は、ワンドが収縮した場合にのみ本体上の装着特徴部に係合することを保証することにより、ワンドが伸長した場合、ワンドは本体への装着が阻止される。更に、装着特徴部を別個の管上に設けたので、ワンドは、長い長さにわたって本体上に装着することができ、安定性が向上する。
【０００６】
第１の装着特徴部と第３の装着特徴部とは、本体に対してワンドが第１の方向に移動することを許容し、第２の方向に移動することを阻止するように係合することができる。次に、第２の装着特徴部と第３の装着特徴部とは、第１の方向に移動することを阻止し、第２の方向に移動することを許容するように係合することができる。従って、本体へ装着される場合に、ワンドは、第１の方向及び第２の方向の両方への移動が阻止される。従って、ユーザには、ワンドを本体へ装着しようとする場合、ワンドは第１の方向及び第２の方向の何れにも引き続き移動可能なので、ワンドが収縮していないという指示が与えられる。
【０００７】
第１の装着特徴部と第３の装着特徴部とは、本体に対してワンドが軸線に沿って摺動により移動することを許容し、軸線と直交する方向に移動することを阻止するように係合する。次に、第２の装着特徴部とは第３の装着特徴部とは、軸線に沿った摺動による移動を阻止し、軸線と直交する方向での移動を許容するように係合する。従って、ユーザは、ワンドを本体に対して摺動させることで、ワンドを本体に装着することができる。次に、ワンドの摺動は、第２の装着特徴部と第３の装着特徴部とが係合した場合に停止する。従って、これによってワンドを本体に装着する好都合な方法がもたらされる。
【０００８】
第１の装着特徴部及び第３の装着特徴部の一方はランナを備えることができ、第１の装着特徴部及び第３の装着特徴部の他方は案内溝を備えることができる。従って、第１の装着特徴部と第３の装着特徴部とは、ランナを案内溝内に摺動可能に受け入れるように係合し、第２の装着特徴部と第３の装着特徴部とは、ワンドが収縮する場合にはランナが案内溝を越えて摺動することを阻止し、ワンドが伸長する場合にはランナが案内溝を越えて摺動することを許容するように係合する。従って、ユーザは、ランナを案内溝内へ挿入し、その後、本体に対してワンドをランナが案内溝に沿って摺動するように移動させて、ワンドを本体へ装着することができる。その後、ワンドの移動は、第２の装着特徴部と第３の装着特徴部とが係合した場合に停止する。ワンドが収縮している場合、第２の装着特徴部と第３の装着特徴部とは、ランナが案内溝内に保持されている時点で係合する。しかしながら、ワンドが伸長している場合、第２の装着特徴部と第３の装着特徴部とは、ランナが案内溝を通り抜けた時点で係合する。従って、ユーザには、ワンドを本体へ装着しようとする場合に、ワンドが本体上の案内溝を通って最後まで移動するので、ワンドが収縮していないという指示がもたらされる。
【０００９】
本発明をより容易に理解できるように、本発明の実施形態は添付図面を参照して以下に例示的に説明される。
【図面の簡単な説明】
【００１０】
【図１】公知形式の真空掃除機の側面図である。
【図２】本発明による真空掃除機の側面図である。
【図３】図２に示した真空掃除機のワンドの一部を上方から見た不等角投影図である。
【図４】ワンドの一部を下方から見た不等角投影図である。
【図５】ワンドの一部を側方から見た不等角投影図である。
【図６】図２に示した真空掃除機の本体の不等角投影図である。
【図７】本体の一部の後面図である。
【図８】本体へ装着された場合のワンドの断面図であり、断面は、ワンドの装着特徴部及び本体の装着特徴部を通って延びている。
【図９】本体へ装着されて収縮した位置にある場合のワンドの側面図であり、本体の一部は、図８の線Ｘ−Ｘに沿って切り取った断面で示される。
【図１０】本体へ装着されて収縮した位置にあるワンドの側面図であり、本体の一部は、図８の線Ｙ−Ｙに沿って取り出した断面で示される。
【図１１】ワンドを本体へ装着しようとする場合の部分的に伸長した位置にあるワンドの図であり、本体の一部は、図８の線Ｘ−Ｘに沿って切り取った断面で示される。
【図１２】ワンドを本体へ装着しようとする場合の部分的に伸長した位置にあるワンドの図であり、本体の一部は、図８の線Ｙ−Ｙに沿って切り取った断面で示される。
【発明を実施するための形態】
【００１１】
図２から図１２に示す真空掃除機１０は、キャニスタ形式であり、掃除機ヘッド１２が、ホース及びワンド組立体１３を利用して本体１１へ流体結合される本体１１を備えている。
【００１２】
ホース及びワンド組立体１３は、ワンド１４、ハンドル１５、及びホース１６を備えている。
【００１３】
ワンド１４は、伸縮自在であり、外側管１８に対して移動する内側管１７を備えている。２つの末端において、ワンド１４は、収縮位置と伸長位置との間で伸縮する。外側管１８は内側管１７のノッチ２０に係合するキャッチ１９を備え、ユーザは、ワンド１４を２つの末端の間の所定の位置にロックすることができる。
【００１４】
ワンド１４は、一端で掃除機ヘッド１２へ取り付けられ、他端でハンドル１５へ取り付けられている。次に、ホース１６は、一端でハンドル１５へ取り付けられ、他端で本体１１へ取り付けられている。
【００１５】
図２に示すように、本体１１及びワンド１４の各々は、ワンド１４を本体１１へ装着できるように係合する装着特徴部２１−２３を備える。以下で説明するように、装着特徴部２１−２３は、ワンド１４が収縮した場合にのみワンド１４を本体１１へ装着できるような方法で係合する。従って、ワンド１４の本体１１への装着は、ワンド１４が伸長又は部分的に伸長する場合には阻止される。
【００１６】
ワンド１４は、内側管１７に設けられた第１の装着特徴部２１と、外側管１８に設けられた第２の装着特徴部２２とを備えている。
【００１７】
第１の装着特徴部２１は、内側管１７から外向きに延びる突起の形態である。突起２１は、ステム２４と、一対のランナ２５とを備える。ステム２４は、内側管１７に沿って管１７の長手方向軸線と平行な方向に延びている。ランナ２５は、ステム２４の両側に沿って延びている。ステム２４は高さが一定ではなく、その代わりに傾斜している。その結果、ランナ２５は、内側管１７の長手方向軸線に対して少し傾斜した軸線に沿って延びている。結果的に、ワンド１４が本体１１へ装着される場合（以下で詳述するように）、ワンド１４は、本体１１に対して後方へ更に傾く。その結果、ホース及びワンド組立体１３の質量中心は低くなる。従って、これにより、組立体１３にぶつかっても、本体１１へ作用するトルクがより小さくなるので、真空掃除機１の安定性が改善されるという利益が得られる。
【００１８】
第２の装着特徴部２２は、外側管１８から外向きに延びる平坦なフランジの形態である。フランジ２２は、外側管１８の長手方向軸線に直角な平面内に位置している。
【００１９】
ワンド１４が収縮位置にある場合、第１の装着特徴部２１と第２の装着特徴部２２とは、互いに隣接する。対照的に、ワンド１４が伸長している場合、第１の装着特徴部２１と第２の装着特徴部２２とは互いに遠くにある。
【００２０】
本体１１は、ブラケットの形態の第３の装着特徴部２３を備える。ブラケット２３は、ベース２６と、ベース２６の両側に沿って延びる一対の湾曲アーム２７とを備える。両アーム２７は、２つのアーム２７の間に中央スロット２８が形成されるように互いの方向に湾曲している。更に、各アーム２７とベース２６との間には案内溝２９が形成されている。
【００２１】
ワンド１４を本体１１へ装着するためには、まず、第１の装着特徴部２１を、第３の装着特徴部２３と係合させる。これは、突起２１のステム２４をブラケット２３のスロット２８へ挿入することにより達成される。次に、ワンド１４を、本体１１に対して下向きに押して、突起２１のランナ２５をブラケット２３の案内溝２９に沿って摺動させる。ランナ２５は、第２の装着特徴部２２が第３の装着特徴部２３に係合する時点まで、案内溝２９に沿って摺動する。これは、フランジ２２がブラケット２３のアーム２７へ当接した場合に達成される。フランジ２２とブラケット２３との当接により、突起２１がブラケット２３の摺動軸線（即ち、スロット２８及び案内溝２９の長手方向軸線）に沿ってそれ以上摺動することが阻止される。この段階では、ワンド１４が本体１１に対して摺動軸線と平行な方向に移動することは、フランジ２２及びアーム２７により阻止される。更に、ワンド１４が本体１１に対して摺動軸線と直交する方向に移動することは、ランナ２５及びアーム２７により阻止される。その結果、ワンド１４は、本体１１にしっかり装着される。
【００２２】
第１の装着特徴部２１と第３の装着特徴部２３とは、ワンド１４が本体１１に対して第１の方向（即ち、摺動軸線と平行な方向）に移動することは許すが、第２の方向（即ち、摺動軸線と直交する方向）に移動することは妨げるように係合する。次に、第２の装着特徴部２２と第３の装着特徴部２３とは、ワンド１４が本体１１に対して第２の方向に移動することを許すが、第１の方向に移動することは妨げるように係合する。従って、本体１１に対するワンド１４の移動は、第１の装着特徴部２１及び第２の装着特徴部２２の両方が第３の装着特徴部２３に係合した場合にだけ阻止される。このことは、ワンド１４が収縮している場合にのみ起こる。収縮時、第１の装着特徴部２１と第２の装着特徴部２２とは互いに隣接している。その結果、第１の装着特徴部２１及び第２の装着特徴部２２は、第３の装着特徴部２３へ同時に係合可能である。対照的に、ワンド１４が伸長又は部分的に伸長している場合、第１の装着特徴部２１と第２の装着特徴部２２とは互いに離れている。その結果、どの時点でも、第１の装着特徴部２１及び第２の装着特徴部２２の一方のみが第３の装着特徴部２３に係合できるに過ぎない。その結果、本体１１へのワンド１４の装着は、以下で説明するように阻止される。
【００２３】
前述のように、ワンド１４を本体１１へ装着するためには、まず、第１の装着特徴部２１を第３の装着特徴部２３に係合させる。これは、突起２１のステム２４をブラケット２３のスロット２８へ挿入することにより達成される。次に、ランナ２５は、第２の装着特徴部２２が第３の装着特徴部２３に係合する時点まで案内溝２９に沿って摺動する。スロット２８及び案内溝２９は、両端が開放されている。結果的に、第２の装着特徴部２２がないので、ステム２４及びランナ２５はスロット２８及び案内溝２９を通って摺動し、ブラケット２３から抜け出る。従って、第１の装着特徴部２１及び第３の装着特徴部２３だけを用いてワンド１４を本体１１へ装着することはできない。同様に、第２の装着特徴部２２及び第３の装着特徴部２３だけを用いてワンド１４を本体１１へ装着することはできない。ワンド１４が収縮位置にある場合、フランジ２２は、ランナ２５が依然として案内溝２９内に位置している時点でブラケット２３のアーム２７に当接する。その結果、フランジ２２とアーム２７とは、摺動軸線と平行な方向でのワンド１４の移動を阻止するように係合し、ランナ２５とアーム２７とは、摺動軸線と直交する方向でのワンド１４の移動を阻止するように係合する。しかしながら、ワンド１４が伸長又は部分的に伸長している場合、フランジ２２は、ランナ２５が案内溝２９を超えた時点でブラケット２３のアーム２７へ当接する。結果的に、フランジ２２とアーム２７とは係合して摺動軸線と平行な方向でのワンド１４の移動を阻止するが、ワンド１４は、摺動軸線と直交する方向では自由に移動する。その結果、ワンド１４は、本体１１へ装着されていない。
【００２４】
図９及び図１０には、ワンド１４が収縮した場合の装着特徴部２１−２３の係合が示されており、図１１及び図１２には、ワンド１４が部分的に伸長した場合の装着特徴部２１−２３の係合が示されている。４つの図面の全てにおいて、装着特徴部２１−２３を最良に示すために、本体１１の一部は断面で示されている。図９及び図１１において、本体１１の断面は、図８の線Ｘ−Ｘに沿って切り取ったものであり、図１０及び図１２において、本体１１の断面は、線Ｙ−Ｙに沿って切り取ったものである。
【００２５】
まず、ワンド１４が収縮した状態において、図９から分かるように、ランナ２５は案内溝２９内に位置している。従って、ランナ２５は、ブラケット２３のアーム２７へ当接して、摺動軸線と直交する方向でのワンド１４の本体１１に対する移動を阻止するようになっている。図１０において、フランジ２２がブラケット２３のアーム２７へ当接していることが分かる。その結果、摺動軸線と平行な方向での本体１１に対するワンド１４の移動が阻止される。従って、ワンド１４は、摺動軸線と平行な方向及び直交する方向での移動が阻止されるので、ワンド１４は本体１１へ確実に装着される。
【００２６】
次に、ワンド１４が部分的に伸長する状態において、図１１には、ランナ２５が案内溝２９内に位置するワンド１４の第１の位置が示されている。ランナ２５は、ブラケット２３のアーム２７に当接して、摺動軸線と直交する方向でのワンド１４の移動を阻止するようになっている。しかしながら、ワンド１４が部分的に伸長しているので、フランジ２２はブラケット２３から離れていることが分かる。結果的に、ワンド１４は、摺動軸線と平行な方向に自由に移動し、換言すると、ランナ２５は案内溝２９内で自由に摺動する。図１２には、フランジ２２がブラケット２３のアーム２７に当接するワンド１４の第２の位置が示されている。図１２から分かるように、ここでは、ランナ２５は案内溝２９を通り抜け、そこから離れている。結果的に、ここではフランジ２２とアーム２７との当接が摺動軸線と平行な方向でのワンド１４の移動を阻止するが、ワンド１４は、ここでは摺動軸線と直交する方向に自由に移動する。その結果、ワンド１４は、本体１１に確実に装着されない。実際、どの時点においても、ランナ２５又はフランジ２２のみがブラケット２３のアーム２７に係合するので、ワンド１４を本体１１に装着することはできない。
【００２７】
このように、ワンド１４及び本体１１の装着特徴部２１−２３は、ワンド１４が収縮している場合には本体１１へのワンド１４の装着を許し、ワンド１４が伸長している場合には本体１１へのワンド１４の装着を阻止するように係合する。ワンド１４の伸長時には、ワンド１４を本体１１に装着することはできないので、より安定した真空掃除機１が得られる。
【００２８】
装着特徴部２１、２２をワンド１４の内側管１７及び外側管１８の両方に設けたので、ワンド１４は、より長い長さにわたって本体１１へ装着することができる。換言すれば、ワンド１４は、離間した複数の箇所で取り付けることができる。その結果、ワンド１４は、本体１１への装着時の安定性が改善される。
【００２９】
前述した実施形態では、装着特徴部２１−２３の各々に関して具体的な配置又は構成が記載されている。しかしながら、ワンド１４の収縮時にはワンド１４の本体１１への装着が可能になり、ワンド１４の伸長時にはワンド１４の本体１１への装着が阻止されるように装着特徴部２１−２３が係合する限り、他の配置又は構成を用いることができる。
【００３０】
結果的に、各装着特徴部２１−２３は単一かつ一体の構成要素として記載したが、装着特徴部が２つ又はそれ以上の別個の構成要素を備えることも想定される。これは、本体１１上に設けられた第３の装着特徴部２３に特に当てはまる。例えば、第３の装着特徴部２３は、ワンド１４の第１の装着特徴部２１と係合する本体１１の一部に設けられた第１の構成要素と、ワンド１４の第２の装着特徴部２２に係合する本体１１の別の部分に設けられた第２の構成要素とを備えることができる。実際、前述の図面に示した実施形態では、本体１１は、該本体１１を持ち運ぶためのハンドル３０を備える。ワンド１４が本体１１へ装着される場合、外側管１８のフランジ２２は、ブラケット２３のみならず本体１１のハンドル３０にも係合する。図８から分かるように、ハンドル３０は、全体的にＵ字形の断面を有する。結果的に、フランジ２２の表面がブラケット２３に当接して摺動軸線と平行な方向のワンド１４の移動を阻止する場合、フランジ２２の側部は、ハンドル３０に当接して摺動軸線と直交する方向でのワンド１４の横方向の移動を阻止する。その結果、ワンド１４は、本体１１に装着される場合に安定性が向上する。
【符号の説明】
【００３１】
１  キャニスタ型真空掃除機
２  本体
３  掃除機ヘッド
４  ホース及びワンド組立体
１４  ワンド
１７  内側管
１８  外側管
２１  第１の装着特徴部
２２  第２の装着特徴部
２３  第３の装着特徴部
【図１】
2014091050.tif 000003
【図２】
2014091050.tif 000004
【図３】
2014091050.tif 000005
【図４】
2014091050.tif 000006
【図５】
2014091050.tif 000007
【図６】
2014091050.tif 000008
【図７】
2014091050.tif 000009
【図８】
2014091050.tif 000010
【図９】
2014091050.tif 000011
【図１０】
2014091050.tif 000012
【図１１】
2014091050.tif 000013
【図１２】
2014091050.tif 000014